(57)【要約】【課題】配線ダクトに灯具を取り付ける際の施工性を向上すると共に、多数の灯具を列設するときに各灯具の照射角度を正確に統一する。【解決手段】この照明器具は、配線ダクト１に着脱自在に固定可能なアーム部材５と；アーム部材５の表面に３０度ピッチで設けられ、アーム部材５に対する灯具２の回転角度を示す第１目印部としての凹部６１と；灯具２に固定され、灯具２の照射光の照射角度を調整するようアーム部材５に回動可能に支持された金具４と、凹部６１に対応する金具４の押え板４２の端面に９０度ピッチでかつ内側の凹部６１の幅よりも広い幅で設けられた第２目印部としての凹部４４とを備える。【選択図】図３
2007122991.tif 000002
【特許請求の範囲】
【請求項１】
配線ダクトに着脱自在で、かつ任意の位置に固定可能なアーム部材と；
前記アーム部材の表面に第１の間隔で設けられ、前記アーム部材に対する灯具の回転角度を示す凹形状の第１目印部と；
前記灯具に固定され、前記灯具の照射光の照射角度を調整するよう前記アーム部材に回動可能に支持されたアーム支持部材と；
前記アーム部材の第１目印部と対応する前記アーム支持部材の縁部に、前記第１の間隔とは異なる第２の間隔でかつ第１目印部よりも広く設けられた凹形状の第２目印部と；
を具備したことを特徴とする配線ダクト用プラグ装置。
【請求項２】
前記アーム部材およびアーム支持部材は、
互いが係合する係合面を両側に備え、いずれか一方の側の係合面の縁部に前記第１目印部および第２目印部がそれぞれ形成され、他方の係合面の縁部に、回動方向に沿って複数設けられた孔部と前記孔部に嵌合する突起部とで構成される係止機構を具備したことを特徴とする請求項１記載の配線ダクト用プラグ装置。
【請求項３】
請求項１または２いずれか記載の配線ダクト用プラグ装置により、照射光の照射角度を調整可能に支持された灯具を具備したことを特徴とする照明装置。
【発明の詳細な説明】
【技術分野】
【０００１】
本発明は、例えば店舗等に使用される配線ダクト用プラグ装置および照明器具に関する。
【背景技術】
【０００２】
近年、配線ダクトに取り付ける照明器具が数多く市販されている。照明器具の取り付け角度の設定ができる既存製品としては、例えば１０度ごとに凹凸を山形に形成したラチェット式のものや、金具から突出するダボが角度調整アーム部品の１５度ピッチに設けた円筒穴に噛み合うことで設定できる構造のものがある。
【０００３】
例えば特許文献１には、灯具の光の照射方向を調整できるよう構成された照明器具が既に公開されている。
【特許文献１】特開２００３-５９３３４公報
【発明の開示】
【発明が解決しようとする課題】
【０００４】
上記特許文献１の先行技術の場合、灯具の角度調整は可能なものの、照明器具を配線ダクトヘ取り付ける際に、照射角度がどの程度の角度になっているかを確認できるような構造ではなく、施工者は、壁面と灯具との相対位置を目視で確認するしかなく、例えば多数の照明器具を列設するときに個々の灯具の角度調整に時間がかかり、施工性が低下すると共に各器具の照射角度を一定の方向に統一できないという問題がある。
【０００５】
本発明はこのような課題を解決するためになされたもので、配線ダクトに照明器具を取り付ける際の施工性を向上すると共に、多数の照明器具を列設するときに各器具の照射角度を正確に統一できる配線ダクト用プラグ装置および照明器具を提供することを目的としている。
【課題を解決するための手段】
【０００６】
上記した目的を達成するために、請求項１記載の発明の配線ダクト用プラグ装置は、配線ダクトに着脱自在で、かつ任意の位置に固定可能なアーム部材と；前記アーム部材の表面に第１の間隔で設けられ、前記アーム部材に対する灯具の回転角度を示す凹形状の第１目印部と；前記灯具に固定され、前記灯具の照射光の照射角度を調整するよう前記アーム部材に回動可能に支持されたアーム支持部材と；前記アーム部材の第１目印部と対応するアーム支持部材の縁部に、前記第１の間隔とは異なる第２の間隔でかつ第１目印部よりも広く設けられた凹形状の第２目印部と；を具備したことを特徴とする。
【０００７】
請求項２記載の発明の配線ダクト用プラグ装置は、請求項１記載の配線ダクト用プラグ装置において、前記アーム部材およびアーム支持部材は、互いが係合する係合面を両側に備え、いずれか一方の側の係合面の縁部に前記第１目印部および第２目印部がそれぞれ形成され、他方の係合面の縁部に、回動方向に沿って複数設けられた孔部と前記孔部に嵌合する突起部とで構成される係止機構を具備したことを特徴とする。
【０００８】
請求項３記載の発明の照明器具は、上記請求項１、２いずれか記載の発明の配線ダクト用プラグ装置により、照射光の照射角度を調整可能に支持された灯具を備える。
【０００９】
請求項１、３記載の発明では、アーム部材の表面に第１の間隔でアーム部材に対する灯具の回転角度を示す第１目印部を設ける一方、この第１目印部と対応する前記アーム支持部材の縁部に、第１の間隔とは異なる第２の間隔でかつ第１目印部よりも広い幅で第２目印部を設け、かつ第１目印部および第２目印部を凹形状に形成したことで、外側の第２目印部から内側の第１目印部が見えるようになり、灯具を配線ダクトヘ取り付けるときに、施工者は、取り付け面に対して設置目標とする照射角度にするためにはどの位置まで灯具を回動させれば良いかを灯具の横方向または斜め方向からでも容易に判るようになる。
【００１０】
本発明の凹形状の第１目印部および第２目印部を備える構成では、作業者が器具の長手方向における横方向または斜め方向から見ても角度調整できる。
すなわち、本発明は、作業者が比較的高所で灯具の回動作業を行う際に適用されるものであり、このような条件では、通常、回動調整のための目印部と作業者の目線とが同じ高さではない場合があり、作業者の目線の方が当該目印部よりも下方に位置することも考えられる。
【００１１】
したがって、このような場合であっても、目印部を横方向または斜め横の下方側から見ることができれば、作業者は、灯具の角度を容易に調整可能である。
ゆえに、目印部の大きさ関係が重要になる。さらに言えば、本照明器具は、回動調整できることが前提のものであり、設置場所によっては、作業者側（手前）に照明器具を回動させなければならない場合も想定される。
このように場合であっても、目印部を常に横から見ていられる状況で、灯具の回動作業を行えば角度調整作業が可能となるので、作業者は、灯具の設置作業を容易にできるようになる。
【００１２】
請求項２、３記載の発明では、アーム部材およびアーム支持部材は、互いの係合面の縁部に回動方向に沿って複数設けられた孔部とこの孔部に嵌合する突起部とで構成される係止機構を備えることで、灯具の角度を細かく調整して位置を固定することができる。
また、孔部と目印部とを分けたので、孔部からアーム部材の表面までの肉厚を厚くすることがなく、アーム部材を小形化することができる。
【００１３】
なお、係止機構の、角度を保持するための突起部が極端に小さ過ぎると保持力が弱くなるため、突起部はできるだけ大きい方が好適である一方、突起部が大きくなると突起部が嵌合する孔部を大きくする必要があるためにアーム部材が大形化する。
したがって、アーム部材を極力小さくでき、突起部と孔部との嵌合の信頼性を確保する構成としては、ある程度の大きさのものを複数設けることができる、アーム部材の係合面のできるだけ縁部に近い内側に孔部を形成することが好ましい。
【００１４】
そして、このような条件において、突起部と孔部とからなる係止機構を目印部が形成されている係合面と同じ縁部側に設けてしまうと、孔部の強度確保のため、孔部と目印部との距離が必要となり、アーム部材が大形化してしまうため、それを防ぐためにあえて孔部と目印部とを形成する面を目印部の場所と異ならせている。
【発明の効果】
【００１５】
以上説明したように請求項１記載の発明によれば、配線ダクト用プラグ装置に回転角度を示す凹形状の目印部（第１目印部および第２目印部）を設けたことで、配線ダクトに照明器具を取り付ける際の施工性を向上することができる。また、多数の照明器具を列設するときに各器具の照射角度を正確に統一できる。
請求項２記載の発明によれば、作業者は、灯具の光の照射方向について細かい角度設定が容易にできる。さらに、配線ダクト用プラグ装置の大型化を抑制することができる。
請求項３記載の発明によれば、請求項１、２いずれか記載の配線ダクト用プラグ装置を用いることで、作業者は、灯具の設置作業を容易に行えるようになる。
【発明を実施するための最良の形態】
【００１６】
以下、本発明の実施の形態を図面を参照して詳細に説明する。図１は本発明の一つの実施形態に係る照明器具の構成を示す側面図、図２は図１の照明器具の斜視図、図３は図１の照明器具のプラグ装置の構成を示す図である。
【００１７】
図１，図２に示すように、この照明器具は、配線ダクト１と、この配線ダクト１に所望の位置で固定されたプラグ装置３と、このプラグ装置３により支持された灯具２とを備える配線ダクト用の照明器具である。換言すれば、灯具２は、プラグ装置３を介して配線ダクト１に支持されるものである。
【００１８】
配線ダクト１は、灯具２を着脱自在に所望位置で固定するためのレール状の電源供給および支持装置である。灯具２には、セード２０内にソケット２１が対向配置されている。ソケット２１には蛍光ランプ２２が取り付けられている。
【００１９】
プラグ装置３は、配線ダクト１の取り付け面（壁面や天井面など）に対する灯具２の光の照射角度を調整すると共に、配線ダクト１からの電源を灯具２へ供給するためのものである。
【００２０】
この例の場合、灯具２は、配線ダクト１とほぼ平行して長手方向に長い直管型の蛍光ランプ２２を備えるものである。このため、灯具２は、両端の２箇所で２つのプラグ装置３によって支持されている。
【００２１】
各プラグ装置３は、図３に示すように、アーム部材５と、このアーム部材５に係合するアーム支持部材としてのコの字状の金具４と、これら金具４とアーム部材５を両脇から軸支する軸支部材６とを連結した回動および支持機構をなすものである。
【００２２】
アーム部材５は、アーム部５３とこれと直交して設けられた円柱状の回動部５４とを備えており、ほぼＴ字状をなしている。
【００２３】
アーム部５３の上方には、フランジ部５２と配線ダクト１との係止部５１が設けられている。係止部５１にはバネ性の突起部が設けられており、配線ダクト１のレール部に嵌合する。この係止部５１とフランジ部５２により、アーム部材５は、配線ダクト１に着脱自在でかつ任意の位置に固定可能とされている。
【００２４】
回動部５４は、中央部がえぐり取られ、左右（両側）に支持部５５，５６が分岐した構造とされている。
【００２５】
図面（図３）の向かって左側の支持部５５の表面の端部には、第１の間隔、例えば基準位置Ａから１０度ピッチで第１目印部として凹部６１，６２が設けられている。凹部６１，６２は、アーム部材５に対する灯具２の回転角度を示すものである。凹部６１は、３０度ピッチで設けられている。凹部６２は、１０度ピッチで設けられている。凹部６１は、凹部６２よりも長い目盛りの形状に設けられている。凹部６１，６２の溝の幅は例えば０．５ｍｍから１ｍｍ程度である。
【００２６】
図面（図３）の向かって右側の支持部５６の、金具４の押え板４３との摺動面（係合面とも言う）には、その周縁部に回動方向に沿って多数（複数）の丸孔５８が形成されている。丸孔５８は、同じ径であれば、板の内側よりも外側の周縁部の方がより多く設けられるので、細かな角度調整が可能である。また、この摺動面には、回動範囲を規制（制限）するための円筒状の突起部６０が設けられている。
【００２７】
また、これら支持部５５，５６には、軸支部材６の回転軸を挿通するための穴５９が設けられている。
【００２８】
金具４は、平板部４１の両側に押え板４２，４３を起立させたものであり、断面コの字状のものである。押え板４２，４３は、外周部が半円形状をしたものである。平板部４１の幅と回動部５４の幅はほぼ同じである。金具４とアーム部材５とは、アーム部材５の回動部５４の摺動面に、押え板４２，４３の内面が接して嵌合される。
【００２９】
金具４は、平板部４１で灯具２にビスなどにより固定されている。金具４は、灯具２の照射光の照射角度を調整するようアーム部材５と軸支部材６により回動可能に支持されている。
【００３０】
アーム部材５の凹部６１，６２と対応する位置の金具４の押え板４２の外周部（縁部）には、第２の間隔、例えば９０度ピッチなどで第２目印部としての凹部４４が形成されている。凹部４４の溝の幅は、例えば３ｍｍ〜５ｍｍ程度であり、内側の第１目印部である凹部６１，６２の溝の幅（０．５ｍｍ〜１ｍｍ）よりも広い幅で設けられている。
【００３１】
図４に示すように、外側の凹部４４の溝の幅を、内側の凹部６１，６２の溝の幅よりも広く形成することで、施工者が横方向または斜め方向から外側の凹部４４を見ながら灯具２を回動させると、その内側の凹部６１，６２（目盛り）が回動する様子が判り、角度調整が容易にできるようになる。
【００３２】
このように回動部５４に凹部４４および凹部６１，６２などの目印部を備える構成では、作業者が灯具２の長手方向における横方向または斜め方向から見ても角度調整できる。
すなわち、灯具２を設置する際、作業者は、比較的高所で灯具２の回動作業を行う。このような条件では、通常、回動調整のための凹部４４と作業者の目線とが同じ高さにあることは考え難く、作業者の目線の方が凹部４４よりも下方に位置することが考えられる。
【００３３】
したがって、このような場合、凹部４４を横方向または斜め横の下方側から見ることができれば、作業者は、灯具の角度を容易に調整可能である。
ゆえに、目印の箇所（凹部４４と凹部６１、６２）の大きさ関係が重要になる。さらに言えば、この照明器具は、回動調整できることが前提のものであり、設置場所によっては、作業者側（手前）に灯具２を回動させる場合も想定される。
このように場合、凹部４４を常に横から見られる状況で、灯具２の回動作業を行えば、光の照射角度を正しく調整可能であり、作業者は、灯具２の設置作業を容易にできるようになる。
【００３４】
金具４の押え板４３には、支持部５６の摺動面の丸孔５８に嵌合する突起部４５が２つ設けられている。この突起部４５と丸孔５８との嵌合により、丸孔５８の間隔で灯具２の細かな角度調整が可能である。
このように丸孔５８と目印である凹部４４，６１，６２の形成位置とを異なる係合面に分けたことで、丸孔５８からアーム部材５の表面までの肉厚を厚くすることがなく、アーム部材５を小形化することができる。
なお、丸孔５８と突起部４５とで、角度保持する突起部４５の方が極端に小さ過ぎると保持力が弱くなるため、突起部４５はできるだけ大きい方が好適である。
【００３５】
一方、突起部４５が大きくなると突起部４５が嵌合する丸孔５８を大きくする必要があるためにアーム部材５が大形化する。
したがって、アーム部材５を極力小さくでき、突起部４５と丸孔５８との嵌合の信頼性を確保する構成としては、ある程度の大きさのものを複数設けることができるアーム部材５の係合面の、できるだけ縁部に近い内側に丸孔５８を形成することである。
【００３６】
そして、このような条件において、突起部４５と丸孔５８とからなる係止機構を目印である凹部４４を形成している係合面と同じ縁部側に設けてしまうと、丸孔５８の強度確保のため丸孔５８と目印である凹部４４との距離が必要になり、アーム部材５が大形化してしまう。そこで、この実施形態では、それを防ぐために、あえて丸孔５８と突起部４５とを形成する面を、目印である凹部４４の側と異ならせている。
【００３７】
なお、突起部４５と丸孔５８を形成する場所は、金具４の押え板４３と支持部５６の摺動面とて逆になっていても良く、互いに係合する面に突起部４５と丸孔５８とで係止機構が構成されていれば良い。
【００３８】
また、金具４の押え板４３には、支持部５６の摺動面の突起部６０と係合する半円状のガイド穴４６（スリットとも言う）が設けられている。このガイド穴４６の範囲で突起部６０が動くため、この範囲で灯具２の回動範囲が規制（制限）される。
【００３９】
このようにこの実施形態の照明器具によれば、灯具２の照明角度調整用の部材であるプラグ装置３のアーム部材５の回動部周縁部に例えぱ１０度間隔、３０度間隔などでエンボス形状の第１目印部としての凹部６１、６２を設ける一方、これと係合する部品である金具４に、例えば９０度間隔の第２目印部として凹部４４を設けたことで、施工時の照明器具の回転角度を調整中に、施工者は、照明器具が何度傾いているかを容易に判断できる。
【００４０】
また、凹部４４の幅を広く、凹部６１、６２の幅を狭く形成したことで、施工者が斜め方向から見た場合でも外側の凹部４４から内側の凹部６１、６２が良く見え、設置角度の微調整を容易に行える。
さらに、アーム部材５の摺動面（係合面）の縁部にその回動方向に沿って形成した丸孔５８と、金具４の内面に設けた突起部４５とで係止機構を構成したことで、灯具２の角度調整を細かく行うことができる。
【００４１】
この結果、多数器具を均一照射角度に設定する場合に各器具を正確にかつ容易に一定方向に設置でき、施工後の器具の照射角度を統一できる。
【００４２】
また、施工者は、凹部６１、６２、凹部４４などの目印部を確認するだけで灯具２の角度が容易に判るので、灯具２を目標の照射角度に容易にかつ効率よく設置できる。
【００４３】
なお、本発明は上記実施形態のみに限定されるものではなくも、本発明の範囲を逸脱しない範囲でさまざまに変形できる。
例えば突起部４５の数を多くしてもよく、また、凹部６１，６２および凹部４４のピッチを変えたり、数を増やしてもよい。
【図面の簡単な説明】
【００４４】
【図１】本発明の一つの実施形態に係る照明器具の構成を示す側面図である。
【図２】図１の照明器具の斜視図である。
【図３】図１の照明器具のプラグ装置の構成を示す斜視図である。
【図４】プラグ装置の凹部を示す側面図である。
【符号の説明】
【００４５】
１…配線ダクト、２…灯具、３…プラグ装置、４…金具、５…アーム部材、６…軸支部材、２０…セード、２１…ソケット、２２…蛍光ランプ、４１…平板部、４２，４３…押え板、４４…凹部、４５…突起部、４６…ガイド穴、５１…係止部、５２…フランジ部、５３…アーム部、５４…回動部、５５，５６…支持部、５８…丸溝、５９…穴、６０…突起部、６１，６２…凹部。
【図１】
2007122991.tif 000003
【図２】
2007122991.tif 000004
【図３】
2007122991.tif 000005
【図４】
2007122991.tif 000006